(57)【特許請求の範囲】
【請求項１】
上枠と下枠と一方の縦枠と他方の縦枠を方形状に連結した窓枠と、この窓枠に、その上枠と下枠の長手方向に亘って移動自在に取付けた障子を備え、
前記障子は、上框と下框と一方の縦框と他方の縦框を方形状に連結し、その内部に面材を取付けたもので、その障子を開き方向に移動することで、当該障子の一方の縦框が、前記窓枠から側方に張り出し、その障子の他方の縦框と前記窓枠の他方の縦枠との間が開口するように構成し、
前記窓枠と障子とに亘って第１ストッパー装置と第２ストッパー装置とを取付け、
前記第１ストッパー装置は、窓枠と障子の一方に取付けたストッパー受部材と、他方に取付けたストッパー部材とを備え、そのストッパー受部材とストッパー部材のどちらか一方がストップ位置と非ストップ位置に操作できるように取付け、他方を固定して取付け、かつストップ位置の時に、前記閉じ位置の障子が開き方向に移動すると前記ストッパー部材とストッパー受部材が当接して障子の開き方向への移動を規制して開口部の開口幅を小さくし、非ストップ位置の時にはストッパー部材とストッパー受部材が当接せずに、障子に取付けた部材が窓枠に取付けた部材よりも障子の開き方向に移動し、障子の開き方向への移動を規制しないようにし、
前記第２ストッパー装置は、窓枠と障子の一方に固定して取付けたストッパー受部材と、他方に固定して取付けたストッパー部材とを備え、前記閉じ位置の障子が開き方向へ移動し、前記第１ストッパー装置のストッパー部材とストッパー受部材における障子に取付けた部材が窓枠に取付けた部材よりも障子の開き方向に移動した時に、その第２ストッパー装置のストッパー受部材とストッパー部材が当接することで障子の開き方向への移動を規制して開口部の開口幅を大きくし、
前記障子に開閉兼ロック部材を、前記窓枠に取付けたロック受に係脱するように取付けて、その障子を閉じ状態でロック、ロック解除するロック装置とし、
前記開閉兼ロック部材は、室内側から手で持って係脱操作可能で、かつロック解除した状態で手で持って開閉兼ロック部材を左右一方に移動することで障子を開き方向に移動でき、左右他方に移動することで障子が閉じ方向に移動してロック受に係合するように構成したことを特徴とする片開き窓。
【請求項２】
第１ストッパー装置のストッパー受部材とストッパー部材におけるストップ位置と非ストップ位置に操作できる部材を、障子移動方向に間隔を置いて複数取付け、固定して取付ける部材を１つとした請求項１記載の片開き窓。
【請求項３】
障子は水平姿勢で障子ガイドに沿って移動するようにし、
第２ストッパー装置による障子の開き方向への移動を規制した障子の最大の開き位置は、障子の重心が障子ガイドの最も開き側部分よりも閉じ側となるように設定した請求項１又は２記載の片開き窓。
【発明の詳細な説明】
【技術分野】
【０００１】
本発明は、浴室、トイレ、台所等に取付ける片開き窓に関する。
【背景技術】
【０００２】
従来から、障子開放状態で、その障子が窓枠よりも側方に張り出すようにした片開き窓が知られている。
例えば、特許文献１に開示されたように、上枠、下枠、一方の縦枠、他方の縦枠より成る窓枠に障子を、その上枠、下枠の長手方向に移動自在に装着し、その障子の一方の縦框を窓枠の一方の縦枠よりも側方に張り出すことで障子の他方の縦框と窓枠の他方の縦枠との間が開口した開放状態とする片開き窓が知られている。
【０００３】
【特許文献１】特開平９−３１７３０４号公報
【発明の開示】
【発明が解決しようとする課題】
【０００４】
前述した従来の片開き窓は、障子の開放状態における開口面積、つまり窓枠の他方の縦枠と障子の他方の縦框との間の開口部の開口幅が大きい。
このように、障子の開放状態における開口幅が大きければ、室内の換気風量が多い、室内の人が開口部から障子室外面を清掃し易い、非常時などに開口部から室内の人が室外に脱出することが可能である、などの利点を有する。
しかしながら、前述のように開口幅が大きいと室外から人が故意に室内に浸入することが可能で、防犯上好ましくない。
【０００５】
本発明の目的は、通常時には開口幅を小さく、必要に応じて開口幅を大きくできるようにした片開き窓を提供することである。
【課題を解決するための手段】
【０００６】
本発明は、上枠と下枠と一方の縦枠と他方の縦枠を方形状に連結した窓枠と、この窓枠に、その上枠と下枠の長手方向に亘って移動自在に取付けた障子を備え、
前記障子は、上框と下框と一方の縦框と他方の縦框を方形状に連結し、その内部に面材を取付けたもので、その障子を開き方向に移動することで、当該障子の一方の縦框が、前記窓枠から側方に張り出し、その障子の他方の縦框と前記窓枠の他方の縦枠との間が開口するように構成し、
前記窓枠と障子とに亘って第１ストッパー装置と第２ストッパー装置とを取付け、
前記第１ストッパー装置は、窓枠と障子の一方に取付けたストッパー受部材と、他方に取付けたストッパー部材とを備え、そのストッパー受部材とストッパー部材のどちらか一方がストップ位置と非ストップ位置に操作できるように取付け、他方を固定して取付け、かつストップ位置の時に、前記閉じ位置の障子が開き方向に移動すると前記ストッパー部材とストッパー受部材が当接して障子の開き方向への移動を規制して開口部の開口幅を小さくし、非ストップ位置の時にはストッパー部材とストッパー受部材が当接せずに、障子に取付けた部材が窓枠に取付けた部材よりも障子の開き方向に移動し、障子の開き方向への移動を規制しないようにし、
前記第２ストッパー装置は、窓枠と障子の一方に固定して取付けたストッパー受部材と、他方に固定して取付けたストッパー部材とを備え、前記閉じ位置の障子が開き方向へ移動し、前記第１ストッパー装置のストッパー部材とストッパー受部材における障子に取付けた部材が窓枠に取付けた部材よりも障子の開き方向に移動した時に、その第２ストッパー装置のストッパー受部材とストッパー部材が当接することで障子の開き方向への移動を規制して開口部の開口幅を大きくし、
前記障子に開閉兼ロック部材を、前記窓枠に取付けたロック受に係脱するように取付けて、その障子を閉じ状態でロック、ロック解除するロック装置とし、
前記開閉兼ロック部材は、室内側から手で持って係脱操作可能で、かつロック解除した状態で手で持って開閉兼ロック部材を左右一方に移動することで障子を開き方向に移動でき、左右他方に移動することで障子が閉じ方向に移動してロック受に係合するように構成したことを特徴とする片開き窓である。
【０００９】
本発明においては、第１ストッパー装置のストッパー受部材とストッパー部材におけるストップ位置と非ストップ位置に操作できる部材を、障子移動方向に間隔を置いて複数取付け、固定して取付ける部材を１つとすることができる。
【００１０】
このようにすれば、小さな開口幅を複数に設定し、そのいずれかの小さな開口幅とすることができる。
【００１１】
本発明においては、障子は水平姿勢で障子ガイドに沿って移動するようにし、
第２ストッパー装置による障子の開き方向への移動を規制した障子の最大の開き位置は、障子の重心が障子ガイドの量も開き側部分よりも閉じ側となるように設定することができる。
【００１２】
このようにすれば、常に障子をスムーズに開閉移動できる。
【発明の効果】
【００１５】
本発明によれば、第１ストッパー装置のストッパー受部材とストッパー部材のどちらか一方をストップ位置とすれば開口幅を小さくでき、非ストップ位置とすれば開口幅を大きくできる。
したがって、通常時には第１ストッパー装置のストッパー受部材とストッパー部材のどちらか一方をストップ位置として開口幅を小さくし、必要に応じて非ストップ位置とすることで開口幅を大きくできる。
また、開閉兼ロック部材を手で持ってロック解除、ロックできるし、そのまま開閉兼ロック部材を手で持って移動して障子を開閉できる。
【発明を実施するための最良の形態】
【００１６】
図１に示すように、窓枠１は上枠２と下枠３と一方の縦枠４と他方の縦枠５を方形状に連結してある。
前記窓枠１に障子１０が上枠２、下枠３の長手方向（以下左右方向という）に移動自在に取付けてある。この障子１０は上框１１と下框１２と一方の縦框１３と他方の縦框１４を方形状に連結し、その内部に面材、例えばガラス１５が装着してある。
前記障子１０を図２（ａ）に示す閉じ状態から矢印で示すように左右方向一方に短い距離移動すると、図２（ｂ）に示すように一方の縦框１３が窓枠１（一方の縦枠４）から側方に張り出し、他方の縦框１４が他方の縦枠５から離れ、その両者の間が開口した開き状態となる。
この時の開口部１６の開口幅Ｈ１（他方の縦枠５と他方の縦框１４との間の左右寸法）は小さく、人が出入りできない。例えば、１５０ｍｍである。
前記障子１０をさらに矢印で示すように左右方向一方に移動（つまり、閉じ状態から左右方向一方に長い距離移動）すると、図２（ｃ）に示すように前記開口部１６の開口幅Ｈ２が大きく、人が出入りできるし、換気風量が多く、さらには障子室外側面を清掃し易い。例えば、６００ｍｍ〜７００ｍｍである。
前記障子１０を開き状態から左右他方に移動すると図２（ａ）に示すように前述の開口部１６が閉塞されて閉じ状態となる。
これによって、片開き窓を形成している。
【００１７】
前記窓枠１と障子１０とに亘って第１ストッパー装置６と第２ストッパー装置７が取付けてある。
その第１ストッパー装置６はストップ状態とストップ解除状態に切換え操作でき、ストップ状態の時には障子１０の移動距離を短く制限して開口幅Ｈ１を小さくする。つまり、障子１０が閉じ状態から開き方向に所定の短い距離移動すると、ストップしてそれ以上障子１０が開き方向に移動しないように制限する。
前記第１ストッパ装置６がストップ解除状態の時には障子１０の開き方向の移動を制限せずに、障子１０は前述の所定の短い距離以上開き方向に移動できる。
前記第２ストッパー装置７は障子１０の最大移動距離を規定し、前述の開口部１６の開口幅がＨ２以上とならないようにする。
【００１８】
前記第１ストッパー装置６は、窓枠１（例えば、上枠２）に取付けたストッパー受部材６ａと、障子１０（例えば、上框１１）に取付けたストッパー部材６ｂを備え、そのストッパー受部材６ａとストッパー部材６ｂのどちらか一方をストップ位置と非ストップ位置に操作できる。この実施の形態ではストッパー受部材６ａをストップ位置と非ストップ位置に操作できる。
前記第２ストッパー装置７は、窓枠１（例えば下枠３）に取付けたストッパー受部材７ａと、障子１０（例えば下框１２）に取付けたストッパー部材７ｂを備えている。
【００１９】
図２（ａ）に示すように、障子１０が閉じ状態の時には、第１・第２ストッパー装置６，７のストッパー受部材６ａ，７ａとストッパー部材６ｂ，７ｂはそれぞれ離隔している。
前記第１ストッパー装置６のストッパー受部材６ａをストップ位置として障子１０を閉じ状態から開き方向に移動すると図２（ｂ）に示すようにストッパー部材６ｂがストッパー受部材６ａに当接してストップし、それ以上障子１０が開き方向に移動しないように規制する。この時、第２ストッパー装置７のストッパー受部材７ａとストッパー部材７ｂは離隔している。
前記ストッパー受部材６ａを非ストップ位置としてストッパー部材６ｂが当接することがないようにすれば、障子１０の開き方向への移動が第１ストッパー装置６で規制されないので、障子１０が前述の第１ストッパー装置６を越えて開き方向に移動できる。
そして、障子１０が第１ストッパー装置６を越え開き方向に移動すると、図２（ｃ）に示すように、第１ストッパー装置７のストッパー部材７ｂがストッパー受部材７ａに当接してストップし、障子１０がそれ以上開き方向に移動しないように規制し、開口部１６の最大開口幅をＨ２とする。
なお、ストッパー部材６ｂをストップ位置と非ストップ位置とに分けて移動するようにしても良い。
【００２０】
このようであるから、第１ストッパー装置６のストッパー受部材６ａをストップ位置としておけば、障子１０の開き方向へ移動距離が短く規制されて開口部１６の開口幅を小さくできる。
そして、第１ストッパー装置６のストッパー受部材６ａを非ストップ位置とすれば、障子１０を第１ストッパー装置６を越えて第２ストッパー装置７のストッパー部材７ｂがストッパー受部材７ａに当接するまで開き方向に移動できるので、開口部１６の開口幅を大きくできる。
【００２１】
前記第１ストッパー装置６を障子開閉方向に間隔を置いて複数取付け、障子１０を開口部の開口幅の小さな複数位置でストップできるようにしても良い。
例えば、図３に示すように、ストッパー受部材６ａを上枠２の左右方向に間隔を置いて複数取付け、そのストッパー受部材６ａを順次非ストップ位置に操作することで、ストッパー部材６ｂが順次ストッパー受部材６ａに当接して障子１０をストップし、開口部１６の開口幅を複数の値にできるようにする。
【００２２】
この実施の形態では、前述の開口幅が大きい（Ｈ２）時の障子１０の位置、つまり障子１０が最大移動距離だけ開き方向に移動した最大開き位置は、障子１０がスムーズに移動する範囲以内としてある。
つまり、障子１０は水平姿勢で障子ガイドに沿って移動し、その障子１０の重心１０ａが障子ガイドの最も開き側部分よりも閉じ側であれば障子１０は水平姿勢となって障子ガイドに沿ってスムーズに移動するが、障子１０は窓枠１よりも張り出すために、その障子１０の重心１０ａが前述の障子ガイドの最も開き側部分よりも開き側に移動することがあり、その場合には障子１０が水平姿勢に対して一方の縦枠１３が他方の縦枠１４よりも下方となるように傾斜し、スムーズに移動できなくなる。
そこで、障子１０の重心１０ａが障子ガイドの開き側部分よりも閉じ側となるように最大開き位置を設定した。
【００２３】
この実施の形態では、図１に示すように下枠３の開き側部（一方の縦枠４側部）に固定側戸車１７を取付け、下框１２を固定側戸車１７に接してガイドし、下框１２の閉じ側部（他方の縦框１４側部）に可動側戸車１８を取付け、この可動側戸車１８を下枠３に接してガイドするようにして障子ガイドとし、この障子ガイドの場合には前記固定側戸車１７が障子ガイドの開き側部分である。
そして、第２ストッパー装置７のストッパー部材７ｂがストッパー受部材７ａに当接した最大開き位置の時に、障子１０の重心１０ａが前述の固定側戸車１７を越えて開き側に位置しないようにしてある。
【００２４】
また、図１に示すように上框１１の閉じ側部（他方の縦框１４側部）に可動側補助戸車１９を取付け、この可動側補助戸車１９を上枠２に接してガイドすることで、前述の障子１０の傾斜を低減できる。
なお、図１、図２は本発明を理解し易いように概略的に図示してあり、後述する具体形状と形状、寸法が異なることがある。
【００２５】
次に、各部材の具体形状を説明する。
前記上枠２は図４に示すように、本体部材２０と、この本体部材２０の室外側面２１よりも室外側に延設した上ガイド部材２２を備えている。
前記本体部材２０の面内方向の内側面（つまり、上枠２の室内側の最も下の面）２３は、上ガイド部材２２のガイド部２４の下端部よりも下方に位置し、障子１０の上框１１が内側面２３よりも上方に位置して室内から上框１１が見えないようにしてある。
前記下枠３は図４に示すように、本体部材３０と、この本体部材３０の室外側面３１よりも室外側に延設した下ガイド部材３２を備えている。
前記本体部材３０の面内方向の内側面（つまり、下枠３の室内側の最も上の面）３３は、下ガイド部材３２のガイド部３４の上端部よりも上方に位置し、障子１０の下框１２が内側面３３よりも下方に位置して室内から下框１２が見えないようにしてある。
【００２６】
前記一方の縦枠４は図５に示すように、本体部材４０を備え、この本体部材４０と上枠２、下枠３の本体部材２０，３０が、その室外側面４１と前記室外側面２１，３１が面一となるように連結される。
この本体部材４０の内側面（つまり、一方の縦枠４の室内側の最も他方の縦枠５寄りの面）４２は障子１０が閉じ状態の時に、一方の縦框１３よりも内方に位置し、室内から一方の縦框１３が見えないようにしてある。
前記他方の縦枠５は図５に示すように、本体部材５０と、その本体部材５０の室外側面５１よりも室外側に張り出したカバー部材５２を備えている。この本体部材５０と前記上枠２、下枠３の本体部材２０，３０が、その室外側面５１，２１，３１が面一となるように連結される。
この本体部材５０の内側面（つまり、他方の縦枠５の室内側の最も一方の縦枠４寄りの面）５３は障子１０が閉じ状態の時に、他方の縦框１４よりも内方に位置し、室内から他方の縦框１４が見えないようにしてある。
【００２７】
前述のように、上枠２、下枠３、一方の縦枠４、他方の縦枠５は、その各本体部２０，３０，４０，５０が連結されて室外側面２１，３１，４１，５１が面一となっていると共に、各内側面２３，３３，４２，５３が方形枠状に連続して室内側開口部１ａを形成している。
【００２８】
前記障子１０の上框１１が上枠２のガイド部２４に沿って移動自在に支承され、下框１２が下枠３のガイド部３４に沿って移動自在に支承されている。
つまり、障子１０は上枠２の室外側部と下枠３の室外側部に移動自在に取付けてある。
【００２９】
前記カバー部材５２は室外側に向う側面板５４と、この側面板５４の室外側部に設けた内向板５５で鉤形状で、その内向板５５は上枠２のガイド部材２２の室外側面２２ａ、下枠３のガイド部材３２の室外側面３２ａとほぼ面一である。
前記カバー部材５２は前述の上枠２、下枠３のガイド部材２２，３２と連続し、このカバー部材５２と本体部材５０の室外側面５１とで凹陥部５６を形成している。この凹陥部５６は一方の縦枠４側に向けて開口し、障子１０を閉じた状態で他方の縦框１４が凹陥部５６内に入り込む。
【００３０】
前記第１ストッパー装置６のストッパー受部材６ａは、図６に示すように本体６０に上下動自在に設け、かつ弾性材６１で図６（ａ）に示す下方位置に保持し、操作摘み６２を押すことで上方位置に移動する。
そして、図４、図６に示すように上枠２の本体部材２０の室外側面２１に本体６０をビス６３で固着して取付け、ストッパー受部材６ａは室外側に向けて張り出していると共に、操作摘み６２が本体部材２０の内側面２３よりも下方に突出している。
この実施の形態では、前記本体部材２０の室外側面２１には凹陥部２１ａが形成してあり、この凹陥部２１ａ内に本体６０が取付けてある。
前記第１ストッパー装置６のストッパー部材６ｂは図４に示すように上框１１の室内側面１１ａにビス６４で固着してある。
このストッパー部材６ｂは、前記ストッパー受部材６ａが図６（ａ）のように下方位置の時に同一高さで当接するようにしてあり、図６（ｂ）のようにストッパー受部材６ａが上方位置の時にはストッパー部材６ｂよりもストッパー受部材６ａが上方で当接しない。
つまり、ストッパー受部材６ａが下方位置の時が前述のストップ位置で、上方位置の時が前述の非ストップ位置である。
【００３１】
このようであるから、室内から見た時に第１ストッパー装置６のストッパー受部材６ａ、ストッパー部材６ｂが目視されずに、操作摘み６２が見えるだけであるから、内観の見栄えが良い。
また、本体６０が凹陥部２１ａ内に取付けてあり、ストッパー受部材６ａが本体部材２０の室外側面２１から室外側に突出しているので、その室外側面２１と上框１１の室内側面１１ａとの間隔を小さくできる。
また、操作摘み６２は上枠２側に設けてあり、室外の人が操作しづらく、防犯上好ましい。
【００３２】
前記第２ストッパー装置７のストッパー受部材７ａは図４と図７に示すように下枠３の本体部材３０の室外側面３１にビス６５で取付けてあり、ストッパー部材７ｂは下框１２の室内側面１２ａにビス６６で取付けてある。
この実施の形態では、下枠３の本体部材３０の室外側面３１には凹陥部３１ａが形成され、その凹陥部３１ａの底部にストッパー受部材７ａがビス６５で取付けてあると共に、ストッパー部材７ｂは凹陥部３１ａ内に突出するようにしてある。
【００３３】
このようであるから、室内から見た時に第２ストッパー装置７のストッパー受部材７ａ、ストッパー部材７ｂは見えずに内観の見栄えが良い。
また、室外側面３１と下框１２の室内側面１２ａとの間隔を小さくできる。
【００３４】
この実施の形態では、凹陥部３１ａによって一方の縦枠４の本体部材４０の内側面４２が露出しているので、その露出している部分をストッパー受部材７ａとして、仮想線で示すようにストッパー部材７ｂが内側面４２の露出している部分に当接するようにしても良い。また、障子１０の他方の縦框１４をストッパー部材７ｂとし、その縦框１４をストッパー受部材７ａに当接するようにしても良い。
このようにすれば、ストッパー部材７ｂのみ、またはストッパー受部材７ａのみで第２ストッパー装置７とすることができ、部品点数が少なくコスト安である。
【００３５】
前述の実施の形態では、第１ストッパー装置６を上枠２と上框１１とに亘って取付けしたが、下枠３と下框１２とに亘って取付けても良いし、上枠２と上框１１、下枠３と下框１３とに亘ってそれぞれ取付けしても良い。
また、第２ストッパー装置７を下枠３と下框１２とに亘って取付けしたが、上枠２と上框１１とに亘って取付けしても良い。下枠３と下框１２、上枠２と上框１１とに亘ってそれぞれ取付けしても良い。
【００３６】
図５に示すように、障子１０の他方の縦框１４には開閉兼ロック部材７０が取付けてある。
この開閉兼ロック部材７０は他方の縦枠５に取付けたロック受７１に係脱し、障子１０を閉じ状態でロックし、室内側からロック解除操作されるロック装置を構成する。
このようであるから、開閉兼ロック部材７０を手で持ってロック受け７１から離脱してロック解除し、そのままの状態で開閉兼ロック部材７０を左右一方に移動することで障子１０を開き方向に移動できる。
また、開閉兼ロック部材７０を手で持って障子１０を閉じ方向に移動し、閉じ状態となるとロック受７１に係合して障子１０を閉じ状態でロックする。
【００３７】
前記開閉兼ロック部材７０は図５、図８に示すように、他方の縦框１４に取付けたブラケット７２に、ケース７３を縦軸７４で障子開閉方向に揺動自在に取付け、そのケース７３内にロック７５を設け、そのケース７３をスプリング７６で障子閉じ方向（矢印ａ方向）に揺動付勢してロック７５を前記ロック受７１に係合して障子１０をロック状態としてある。
【００３８】
前述の状態からケース７３を手で持って障子開き方向（矢印ｂ方向）に揺動すると、ケース７３とともにロック７５が揺動して図８の仮想線で示すようにロック受７１から離脱して障子１０をロック解除状態とする。
この状態でケース７３を手で持って障子開き方向に移動することで障子１０を開き方向に移動できる。
【００３９】
障子１０を閉じ移動する時には、ケース７３を手で持って閉じ方向に移動するので、スプリング７６でケース７３は図５に示すように矢印ａ方向に揺動した姿勢となる。
この状態で障子１０とともにケース７３が閉じ側に移動すると、ロック７５の傾斜面７５ａがロック受７１の先端部に当接し、ロック７５とケース７３がスプリング７６に抗して矢印ｂ方向に揺動してロック受７１に沿って移動し、障子１０が閉じるとロック７５がロック受７１の係合孔７１ａに係合して障子１０をロックする。
なお、ロック装置と開閉部材を別々としても良い。
【図面の簡単な説明】
【００４０】
【図１】本発明の実施の形態を示す片開き窓の外観図である。
【図２】片開き窓の開閉動作説明図である。
【図３】第１ストッパー装置を複数取付けた実施の形態を示す片開き窓の外観図である。
【図４】図１のＡ−Ａ詳細断面図である。
【図５】図１のＢ−Ｂ詳細断面図である。
【図６】第１ストッパー装置の斜視図である。
【図７】第２ストッパー装置の取付け状態の横断面図である。
【図８】開閉兼ロック部材とロック受の横断面図である。
【符号の説明】
【００４１】
１…窓枠、２…上枠、３…下枠、４…一方の縦枠、５…他方の縦枠、６…第１ストッパー装置、６ａ…ストッパー受部材、６ｂ…ストッパー部材、７…第２ストッパー装置、７ａ…ストッパー受部材、７ｂ…ストッパー部材、１０…障子、１１…上框、１２…下框、１３…一方の縦框、１４…他方の縦框、１５…ガラス、１６…開口部。
【図１】
0004433414.tif 000002
【図２】
0004433414.tif 000003
【図３】
0004433414.tif 000004
【図４】
0004433414.tif 000005
【図５】
0004433414.tif 000006
【図６】
0004433414.tif 000007
【図７】
0004433414.tif 000008
【図８】
0004433414.tif 000009